(57)【要約】【課題】軒樋の受水性を良好なものにし易く、施工も容易に実行し易い飛越抑制カバー及び軒樋構造を提供すること。【解決手段】飛越抑制カバー５０が、鼻隠しに固定された吊具１０とそれに吊り下げられた軒樋３０を含む軒樋アッセンブリ８０の前側上部を覆うように配置される本体５１を有し、本体５１が上側に突出する上側突出部５３を含む。飛越抑制カバー５０が、本体から軒樋３０の前面３０ａの上部を被覆するように下側に延びる前側設置部５５を有し、前側設置部５５が前面３０ａに設けられた窪み３９に係止される第１係止部５９を含む。飛越抑制カバー５０が、本体５１の後側下部から下側に延在する後側設置部６５を有し、後側設置部６５が、吊具１０の上面に設けられた凹部１９に係止される第２係止部６９を含む。【選択図】図２
2020084541.tif 000002
【特許請求の範囲】
【請求項１】
建物の屋根からの雨水が軒樋を飛越するのを抑制できる飛越抑制カバーであって、
前記建物の壁部に固定された吊具及びその吊具に取り付けられた軒樋を含む軒樋アッセンブリの前側上部を覆うように配置され、上側に突出する上側突出部を含む本体と、
前記本体の前側下部から前記軒樋の前面の上部を被覆するように下側に延び、前記前面に設けられた窪みに係止される第１係止部を含む前側設置部と、
前記吊具において前記壁部から前側に延在する前側延在部、その前側延在部から上側に突出する突起、及び前記前側延在部において前記突起に対して前後方向に間隔をおいた状態で前記突起よりも前記前側に位置する前側部分から上側に延在する上側延在部が画定する凹部に係止される第２係止部を含み、前記本体の後側下部から下側に延在する後側設置部と、
を備える、飛越抑制カバー。
【請求項２】
前記前側設置部が、前記前側かつ下側に位置する第１端部、及びその第１端部から後側かつ上側に折り返された第１折返部を有して、前記第１係止部が、前記第１折返部の少なくとも一部を含み、
前記後側設置部が、前記後側かつ下側に位置する第２端部、及びその第２端部から前側かつ上側に折り返された第２折返部を有して、前記第２係止部が、前記第２折返部の少なくとも一部を含む、請求項１に記載の飛越抑制カバー。
【請求項３】
建物の壁部から前側に延在する前側延在部、その前側延在部から上側に突出する突起、及び前記前側延在部において前記突起に対して前後方向に間隔をおいた状態で前記突起よりも前側に配置する前側部分から上側に延在する上側延在部を含み、前記壁部に固定される吊具と、
前記吊具に取り付けられ、前面に窪みを有する軒樋と、
上側に突出する上側突出部を含み、前記軒樋の前側上部を覆うように設置される本体、前記本体の前側下部から前記軒樋の前面の上部を被覆するように下側に延び、前記窪みに係止される第１係止部を含む前側設置部、及び、前記前側延在部、前記突起、及び前記上側延在部が画定する凹部に係止される第２係止部を含んで前記本体の後側下部から下側に延在する後側設置部を有し、前記建物の屋根からの雨水が前記軒樋を飛越するのを抑制できる飛越抑制カバーと、
を備える、軒樋構造。
【発明の詳細な説明】
【技術分野】
【０００１】
本開示は、建物の屋根からの雨水が軒樋を飛越するのを抑制可能な飛越抑制カバーに関する。また、本開示は、建物の壁部に固定される吊具、吊具に取り付けられる軒樋、及び飛越抑制カバーを備える軒樋構造に関する。
【背景技術】
【０００２】
従来、軒樋構造としては、特許文献１に記載されているものがある。この軒樋構造は、吊具及び軒樋を備える。吊具は建物の鼻隠しに固定され、軒樋は吊具に吊り下げられる。
【先行技術文献】
【特許文献】
【０００３】
【特許文献１】特開平１１−１００９５６号公報
【発明の概要】
【発明が解決しようとする課題】
【０００４】
軒天井面の高さを軒樋の底面の高さに一致させると、下側からの美観が良好なものになって好ましい。しかし、鼻隠しの高さが高い場合に軒天井面の高さを軒樋の底面の高さに一致させると、軒先と軒樋の高さの差が大きくなるので、屋根から流れてくる雨水が軒樋を飛び越えて地面に落下し易く、この問題は特に屋根が緩勾配なときに顕著なものとなる。
【０００５】
更には、雨水の飛び越えが施工後に発生したときで受水性を外観よりも優先した場合、軒樋を上側に取り付け直す必要が生じる。しかし、この場合、吊具を全て外す必要が生じるので、再施工が大掛かりなものとなって多大な労力が必要になる。
【０００６】
そこで、本開示の目的は、軒樋の受水性を良好なものにし易く、施工も容易に実行し易い飛越抑制カバー及び軒樋構造を提供することにある。
【課題を解決するための手段】
【０００７】
上記課題を解決するため、本開示に係る飛越抑制カバーは、建物の屋根からの雨水が軒樋を飛越するのを抑制できる飛越抑制カバーであって、建物の壁部に固定された吊具及びその吊具に取り付けられた軒樋を含む軒樋アッセンブリの前側上部を覆うように配置され、上側に突出する上側突出部を含む本体と、本体の前側下部から軒樋の前面の上部を被覆するように下側に延び、前面に設けられた窪みに係止される第１係止部を含む前側設置部と、吊具において壁部から前側に延在する前側延在部、その前側延在部から上側に突出する突起、及び前側延在部において突起に対して前後方向に間隔をおいた状態で突起よりも前側に位置する前側部分から上側に延在する上側延在部が画定する凹部に係止される第２係止部を含み、本体の後側下部から下側に延在する後側設置部と、を備える。
【０００８】
また、本開示に係る軒樋構造は、建物の壁部から前側に延在する前側延在部、その前側延在部から上側に突出する突起、及び前側延在部において突起に対して前後方向に間隔をおいた状態で突起よりも前側に配置する前側部分から上側に延在する上側延在部を含み、壁部に固定される吊具と、吊具に取り付けられ、前面に窪みを有する軒樋と、上側に突出する上側突出部を含み、軒樋の前側上部を覆うように設置される本体、本体の前側下部から軒樋の前面の上部を被覆するように下側に延び、窪みに係止される第１係止部を含む前側設置部、及び、前側延在部、突起、及び上側延在部が画定する凹部に係止される第２係止部を含んで本体の後側下部から下側に延在する後側設置部を有し、建物の屋根からの雨水が軒樋を飛越するのを抑制できる飛越抑制カバーと、を備える。なお、本明細書では、軒樋には、断面がコ字状の樋も含まれ、所謂箱樋も含まれる。
【発明の効果】
【０００９】
本開示に係る飛越抑制カバー及び軒樋構造によれば、軒樋の受水性を良好なものにし易く、施工も容易に実行し易い。
【図面の簡単な説明】
【００１０】
【図１】本開示の一実施形態に係る軒樋構造における前後方向と鉛直方向を含む切断面における断面図である。
【図２】軒樋構造の前側上部周辺の拡大断面図である。
【図３】陶器瓦を用いた建物に設置された軒樋構造を示す断面図である。
【発明を実施するための形態】
【００１１】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。
【００１２】
また、本明細書において、鉛直方向に関連する文言、例えば、上側、上方、下側、下方、水平方向等が用いられた場合、それは、飛越抑制カバーや軒樋構造が所定位置に設置された状態での方角や方向を表現する。
【００１３】
また、本明細書において、前後方向に関連する文言、例えば、前側、前方、後側、後方等が用いられた場合、前側や前方は、飛越抑制カバーや軒樋構造が所定位置に設置された状態で建物の壁部から離れた側に位置することを意味する。また、後側や後方は、飛越抑制カバーや軒樋構造が所定位置に設置された状態で建物の壁部に近い側に位置することを意味する。
【００１４】
また、以下の説明及び図面で、Ｘ方向は、前後方向を示し、建物において吊具が固定される壁部の壁面における法線方向に略一致する。また、Ｙ方向は、軒先（軒樋）の延在方向を示し、Ｚ方向は、鉛直方向を示す。Ｘ方向は、Ｙ方向、及びＺ方向は、互いに直交する。また、以下で説明される構成要素のうち、最上位概念を示す独立請求項に記載されていない構成要素については、任意の構成要素であり、必須の構成要素ではない。
【００１５】
図１は、本開示の一実施形態に係る軒樋構造１におけるＸ方向とＺ方向を含む切断面における断面図である。なお、図１に示す例では、軒樋構造１は、金属屋根２を有する建物３に設置されるが、後で説明するように、軒樋構造は、金属屋根以外の如何なる屋根を有する建物に設置されてもよい。図１に示すように、軒樋構造１は、複数の吊具１０、軒樋３０、及び飛越抑制カバー５０を備える。吊具１０は、加工容易で堅い材質で構成され、金属等で構成される。複数の吊具１０は、建物３の壁部の一例としての鼻隠し４にＹ方向に互いに間隔をおいた状態で所定間隔毎に取り付けられる。
【００１６】
詳しくは、吊具１０は、一体の構造を有し、取付部１１、第１前側延在部１２、上側延在部１３、第２前側延在部１４、第１突起１５、及び第２突起１６を有する。取付部１１は、平板形状を有し、ＹＺ平面方向に広がる。図示しないが、取付部１１は、複数の固定孔（図示せず）を有し、複数の固定孔は、Ｚ方向及びＹ方向の少なくとも一方に間隔をおいて配置される。図示しないねじを各固定孔に挿通して鼻隠し４に締め込むことで、吊具１０が鼻隠し４に固定される。なお、鼻隠しに対する取付部の固定構造は、無数の構造が公知となっており、多種多様な構造が存在している。鼻隠しに対する取付部の固定構造は、図１に示す構造に限定されることはなく、吊具が鼻隠しから容易に外れない構造であれば如何なる構造でもよい。
【００１７】
第１前側延在部１２は、取付部１１の上側から前側に延びる。詳しくは、第１前側延在部１２は、取付部１１の上側から前側かつ下側に斜め下方に延在する傾斜延在部１２ａと、傾斜延在部１２ａの前側端部から略水平方向に前側に延在する水平方向延在部１２ｂを含む。また、上側延在部１３は、水平方向延在部１２ｂの前側端部から上側かつ前側に斜め上方に延在し、第２前側延在部１４は、上側延在部１３の上側端部から前側に略水平方向に延在する。このことから、本実施例では、吊具１０の上面１８が、傾斜延在部１２ａ、水平方向延在部１２ｂ、及び上側延在部１３が画定する凹部２３を有する。
【００１８】
第１突起１５は、水平方向延在部１２ｂから上側に突出する。第１突起１５は、上側延在部１３にＹ方向に間隔をおいた状態で上側延在部１３よりも後側に設けられる。第１突起１５の前面１５ａは、上側かつ前側に斜め上方に延在し、上側延在部１３の後面１３ａと略平行になっている。また、第２突起１６は、第２前側延在部１４の前側端部から上側に突出する。
【００１９】
吊具１０は、更に、後側樋引掛部２１を有し、後側樋引掛部２１は、取付部１１から前側かつ上側に突出する係止片２１ａと、水平方向延在部１２ｂの下側かつ後側から係止片２１ａの先端側に延びる落下抑制部２１ｂを含む。係止片２１ａの先端部と、落下抑制部２１ｂの先端部は、僅かな間隔をおいてＹ方向に対向する。
【００２０】
次に、軒樋３０の構造について説明する。軒樋３０は、合成樹脂等の樹脂材料で構成されると好ましいが、それ以外の金属材料等で構成されてもよい。軒樋３０は、複数の吊具１０に取り付けられて、複数の吊具１０に吊り下げられる。詳しくは、軒樋３０は、樋本体３１、前耳部３２、及び後耳部３３を有する。
【００２１】
樋本体３１は、Ｙ方向に延在し、前側壁部３１ａ、後側壁部３１ｂ、及び底部３１ｃを有する。底部３１ｃは、長尺の板形状を有し、軒先に沿うようにＹ方向に延在する。また、前側壁部３１ａは、底部３１ｃの前側端部から上側に行くにしたがって僅かに前側に傾斜するように斜め上方に延在する。前側壁部３１ａの前面３８の上側には、Ｘ方向後側に窪んだ窪み３９が設けられる。また、後側壁部３１ｂは、底部３１ｃの後側端部から上側に行くにしたがって僅かに後側に傾斜するように斜め上方に延在する。
【００２２】
前耳部３２は、前側壁部３１ａの上端部につながる。図２は、軒樋構造１の前側上部周辺の拡大断面図である。図２に示すように、前耳部３２は、前側壁部３１ａの上端部からＸ方向後側に延びる後側延在部３２ａと、後側延在部３２ａの後側端部からＺ方向下側に突出する下側突出部３２ｂを含む。前側壁部３１ａの上側部分、及び前耳部３２は、下方に開口する凹部３６を画定する。下側突出部３２ｂは、窪み３９の上側を画定する上側壁部３９ａに間隔をおいてＺ方向に対向する。一方、図１に示すように、後耳部３３は、後側壁部３１ｂの上端部につながる。後耳部３３は、環状構造を有し、その内部には、Ｙ方向に延在するスペースが存在する。後耳部３３のＸ方向寸法は、後側壁部３１ｂの上端部のＸ方向寸法よりも大きい。
【００２３】
軒樋３０の前側壁部３１ａを撓ませて、軒樋３０の凹部３６を吊具１０の第２突起１６に嵌め込むと共に、下側突出部３２ｂと上側壁部３９ａで第２前側延在部１４を挟み込む。また、これと略同時に、後耳部３３を、圧縮して歪ませて幅を狭くした状態で係止片２１ａの先端部と落下抑制部２１ｂの先端部との間に押し込む。このようにして、後耳部３３を、係止片２１ａの先端部と落下抑制部２１ｂの先端部との間を通過させ、後耳部３３を、傾斜延在部１２ａ、係止片２１ａ、及び落下抑制部２１ｂで画定される後耳収容室３５に収容する。
【００２４】
後耳部３３が後耳収容室３５に収容されると、後耳部３３の下側が係止片２１ａに係止される。吊具１０の第２突起１６に対する軒樋３０の凹部３６の係止と、係止片２１ａに対する後耳部３３の下側の係止により、軒樋３０を前側と後側の２箇所で吊具１０に係止でき、その結果、軒樋３０を吊具１０に確実に固定できる。更には、係止片２１ａと落下抑制部２１ｂとの隙間の寸法は、力が作用していない状態の後耳部３３の幅よりも小さくなっている。したがって、後耳部３３が後耳収容室３５に一旦収容されると、後耳部３３は、当該隙間を通過不可能となって、後耳収容室３５から脱出不可能になる。よって、軒樋３０が吊具１０から落下することを更に確実に防止できる。なお、吊具に対する軒樋の取付構造は、無数の構造が公知となっており、多種多様な構造が存在している。吊具に対する軒樋の取付構造は、図１に示す構造に限定されることはなく、軒樋が吊具から容易に外れない構造であれば如何なる構造でもよい。
【００２５】
次に、飛越抑制カバー５０の構造について説明する。飛越抑制カバー５０は、合成樹脂等の樹脂材料で構成されると好ましいが、それ以外の金属材料等で構成されてもよい。図２に示すように、飛越抑制カバー５０は、本体５１、前側設置部５５、及び後側設置部６５を備える。本体５１は、吊具１０及びそれに取り付けられた軒樋３０を含む軒樋アッセンブリ８０の前側上部８１を覆うように配置される。本体５１は、第２前側延在部１４の上面に当接する下面５２と、上側突出部５３を有し、上側突出部５３は、下面５２と下面５２と同じ高さ位置に存在する箇所から上側に突出する。上側突出部５３の前面５３ａは、略平面で構成され、ＹＺ平面に略平行に広がる。一方、上側突出部５３の後面５３ｂは、略平面で構成され、上側に行くにしたがって前側に傾斜する傾斜面となっている。前面５３ａと後面５３ｂは、上側端部で接続されて尖った先端部５４を構成する。図１に示すように、先端部５４の先端５４ａは、軒樋３０よりも前側に位置し、軒先９の下方位置９ａよりも上方に位置する。また、先端部５４の先端５４ａは、金属屋根２の底面２ａの下端２ｂの高さよりも下方に位置する。このようにして、金属屋根２の下端２ｂから外部に飛び出した雨水を効率的に軒樋３０内にはね返すことができるようにすると共に、下から見上げたときの建物上側の美観も良好なものになるようにしている。
【００２６】
前側設置部５５は、本体５１の前側下部から軒樋３０の前面３０ａの上部を被覆するように下側に延びる。前側設置部５５の前面５５ａと、本体５１の前面５１ａは、略同一平面に含まれる。他方、前側設置部５５の後面５５ｂは、前側壁部３１ａの前面３８における窪み３９よりも上側の部分に当接する。前側設置部５５は、前側かつ下側に位置する第１端部６１、及びその第１端部６１から後側かつ上側に折り返された第１折返部６２を有する。第１折返部６２の先端側は、窪み３９に嵌入されて窪み３９の上面と下面で挟持され、その結果、前側設置部５５が前側壁部３１ａの前面３８に確実に固定される。第１折返部６２の先端側は、第１係止部５９を構成する。換言すると、前側設置部５５は、窪み３９に係止される第１係止部５９を有し、第１係止部５９は、第１折返部６２の少なくとも一部を含む。
【００２７】
後側設置部６５は、本体５１の後側下部から下側に延在し、詳しくは、該後側下部から下側に行くにしたがって後側に傾斜するように下側に延在する。後側設置部６５の下側端部は、第２係止部６９を構成し、吊具１０の上面１８に設けられる凹部１９に嵌入されて係止される。より詳しくは、図２に示すように、後側設置部６５は、後側かつ下側に位置する第２端部７３、及び第２端部７３から前側かつ上側に折り返された第２折返部７５を有する。
【００２８】
後側設置部６５の後面７１の下側は、吊具１０の第１突起１５の前面１５ａに接触して係止される。また、第２折返部７５は、前側上部に係止爪７９を有し、係止爪７９は、吊具１０において前側上方に傾斜するように延在する上側延在部１３の後面１７に接触して係止される。このように、第１突起１５の前面１５ａと上側延在部１３の後面１７で後側設置部６５の先端側を挟み込んで挟持することで、後側設置部６５が吊具１０に確実に固定される。吊具１０の第２係止部６９、すなわち、吊具１０において凹部１９に係止される後側設置部６５の下側端部は、第２折返部７５の少なくとも一部を含む。
【００２９】
上記構成において、降雨による雨水が金属屋根２の底面２ａを伝って下側に流下し、底面２ａの下端２ｂから外部に矢印Ａで示す方向に飛散したとする。すると、軒樋構造１では、飛越抑制カバー５０が軒樋アッセンブリ８０の前側上部８１に設置されて、上側突出部５３の先端５４ａが軒先９の下方位置９ａよりも上方に位置しているので、その飛散した雨水が飛越抑制カバー５０の上側突出部５３の後面５３ｂに効率的に衝突して軒樋３０側にはね返されて軒樋３０内に流入する。
【００３０】
また、上側突出部５３の後面５３ｂが上側に行くにしたがって前側に傾斜するように延在しているので、上側突出部５３の先端５４ａが軒樋３０よりも前側に位置することになり、上側突出部５３の先端が金属屋根２の底面２ａの下端２ｂから離れた個所に存在する。したがって、豪雨によって雨水が金属屋根２の底面２ａを伝って下側に勢いよく流下した場合でも、飛散した雨水が、上側突出部５３の後面５３ｂを飛越しにくく、後面５３ｂで軒樋３０側にはね返され易い。よって、豪雨が生じても、飛散した雨水が軒樋３０内に効率的に流入する。
【００３１】
更には、吊具１０の上面に凹部２３が設けられ、凹部２３の後側内面２３ａ（図１参照）が上側に行くにしたがって後側に傾斜する一方、凹部２３の前側内面２３ｂが上側に行くにしたがって前側に傾斜する。また、吊具１０のＹ方向寸法は、複数の吊具１０で軒樋３０を吊り下げられるのに必要な強度を有する長さに設定され、それ程大きく設定されず、軒樋３０のＹ方向寸法に対して各段に小さい長さに設定される。
【００３２】
したがって、金属屋根からの雨水が、吊具１０の上面側に飛散した場合でも、雨水が、凹部２３の後側内面２３ａや前側内面２３ｂを伝って凹部１９の底面に流動し易く、更には、その底面に到達した雨水が、底面から軒樋３０内に落下し易い。つまり、吊具１０の上面に飛散した雨水も、軒樋３０内に効率的に流入する。よって、金属屋根２の下端２ｂから外部に飛び出した雨水は、飛び出し位置に拠らず軒樋３０を飛越しにくくて、軒樋３０内に効率的に流入する。
【００３３】
以上、飛越抑制カバー５０は、建物３の鼻隠し（壁部）４に固定された吊具１０及びその吊具１０に取り付けられた軒樋３０を含む軒樋アッセンブリ８０の前側上部を覆うように配置される。また、飛越抑制カバー５０は、上側に突出する上側突出部５３を含む本体５１と、本体５１の前側下部から軒樋３０の前面３０ａの上部を被覆するように下側に延び、前面３０ａに設けられた窪み３９に係止される第１係止部５９を含む前側設置部５５を備える。また、吊具１０において鼻隠し４から前側に延在する第１前側延在部１２、第１前側延在部１２から上側に突出する第１突起１５、及び第１前側延在部１２において第１突起１５に対して前後方向に間隔をおいた状態で第１突起１５よりも前側に位置する前側部分から上側に延在する上側延在部１３は、凹部１９を画定する。また、飛越抑制カバー５０は、凹部１９に係止される第２係止部６９を含んで本体５１の後側下部から下側に延在する後側設置部６５を更に備える。
【００３４】
したがって、上側に突出する上側突出部５３が軒樋アッセンブリ８０よりも上方に配置されるので、この上側突出部５３で金属屋根２の軒先から外部に飛散した雨水を後側に効率的にはね返すことができる。よって、金属屋根２の軒先から外部に飛散した雨水が軒樋３０を飛越することを効果的に抑制でき、雨水を効率的に軒樋３０に収容できる。
【００３５】
また、飛越抑制カバー５０の前側の第１係止部５９を軒樋３０の前側の窪み３９に嵌め込んで係止すると共に、飛越抑制カバー５０の後側の第２係止部６９を吊具１０の上面の凹部１９に嵌め込んで係止するだけで、飛越抑制カバー５０を軒樋アッセンブリ８０に容易に設置できる。よって、吊具を全て取り外す従来の施工との比較で、雨水による軒樋３０の飛越抑制の施工を格段に容易に実行でき、施工の労力を大幅に低減できる。
【００３６】
更には、軒樋アッセンブリ８０の前側上部へ飛越抑制カバー５０を設置することで、軒樋構造１の前側の高さを所望の高さまで高くできる。したがって、鼻隠し４の高さが高い場合でも、軒天井面６の高さを軒樋３０の底面７の高さに一致させることができる。よって、人が下から見上げたときの軒樋構造１の美観を優れたものにでき、スタイリッシュな軒樋構造１を実現できる。
【００３７】
また、前側設置部５５が、前側かつ下側に位置する第１端部６１、及び第１端部６１から後側かつ上側に折り返された第１折返部６２を有して、第１係止部５９が、第１折返部６２の少なくとも一部を含んでもよい。また、後側設置部６５が、後側かつ下側に位置する第２端部７３、及び第２端部７３から前側かつ上側に折り返された第２折返部７５を有して、第２係止部６９が、第２折返部７５の少なくとも一部を含んでもよい。
【００３８】
上記構成によれば、第１折返部６２が窪み３９から下側の力を付与されるので、第１係止部５９が下側の力を受ける。また、第２折返部７５も凹部１９の前側内面から下側の力を付与されるので、第２係止部６９も下側の力を受ける。その結果、飛越抑制カバー５０の本体５１を吊具１０の上面側に大きな力で下側に押圧できるので、飛越抑制カバー５０を軒樋アッセンブリ８０に確実に固定できる。
【００３９】
また、軒樋構造１は、鼻隠し（壁部）４に固定される吊具１０と、吊具１０に取り付けられ、前面３０ａに窪み３９を有する軒樋３０と、建物３の金属屋根２からの雨水が軒樋３０を飛越するのを抑制できる飛越抑制カバー５０を備える。また、吊具１０は、建物３の鼻隠し４から前側に延在する第１前側延在部１２、第１前側延在部１２から上側に突出する第１突起１５、及び第１前側延在部１２において第１突起１５に対してＸ方向に間隔をおいた状態で第１突起１５よりも前側に配置する前側部分から上側に延在する上側延在部１３を有する。また、飛越抑制カバー５０は、上側に突出する上側突出部５３を含んで軒樋３０の前側上部を覆うように設置される本体５１を有する。また、飛越抑制カバー５０は、本体５１の前側下部から軒樋３０の前面３０ａの上部を被覆するように下側に延びる前側設置部５５を有し、前側設置部５５は、窪み３９に係止される第１係止部５９を含む。また、飛越抑制カバー５０は、本体５１の後側下部から下側に延在する後側設置部６５を有し、後側設置部６５は、第１前側延在部１２、第１突起１５、及び上側延在部１３が画定する凹部１９に係止される第２係止部６９を含む。
【００４０】
本開示の軒樋構造１によれば、上述の飛越抑制カバー５０が、軒樋３０の前側かつ上部に設置される。よって、軒樋３０の受水性を良好なものにし易く、受水性を良好なものとする施工も容易に実行できる。
【００４１】
なお、本開示は、上記実施形態およびその変形例に限定されるものではなく、本願の特許請求の範囲に記載された事項およびその均等な範囲において種々の改良や変更が可能である。
【００４２】
例えば、上記実施形態では、前側設置部５５が前側かつ下側に位置する第１端部６１から後側かつ上側に折り返された第１折返部６２を有し、後側設置部６５が後側かつ下側に位置する第２端部７３から前側かつ上側に折り返された第２折返部７５を有した。しかし、前側設置部は、前側かつ下側に位置する端部から折り返される折返部を有さなくてもよく、後側設置部も、後側かつ下側に位置する端部から折り返される折返部を有さなくてもよい。
【００４３】
詳しくは、例えば、前側設置部が、ＹＺ平面に略平行に広がる板状部と、その板状部からＸ方向後側に突出する突出部を有し、その突出部が軒樋前面の窪みに嵌め込まれる構成等でもよい。また、後側設置部も、単に下側に行くにしたがって後側に傾斜する傾斜板の形状を有してもよく、その傾斜板の先端部が吊具の上面に設けられた凹部に嵌め込まれる構成等でもよい。
【００４４】
また、上側突出部５３の後面５３ｂが、上側に行くにしたがって前側に移動する傾斜面である場合について説明した。しかし、上側突出部の後面は、ＹＺ平面に略平行に広がる平面等で構成されてもよい。
【００４５】
また、上側突出部５３の先端５４ａが、軒樋３０よりも前側に位置し、軒先９の下方位置９ａよりも上方に位置する場合について説明した。また、上側突出部５３の先端５４ａが、金属屋根２の底面２ａの下端２ｂの高さよりも下方に位置する場合について説明した。しかし、飛越抑制カバーの上側突出部の先端は、軒樋よりも前側に位置しなくてもよく、軒先の下方位置よりも上方に位置しなくてもよい。また、飛越抑制カバーの上側突出部の先端は、屋根の底面の下端の高さよりも下方に位置しなくてもよい。
【００４６】
また、建物３において吊具１０が固定される壁部が、鼻隠し４である場合について説明したが、建物において吊具が固定される壁部は、鼻隠し以外の壁部でもよい。また、軒樋構造１が、金属屋根２を有する建物３に設置される場合について説明した。しかし、軒樋構造は、金属屋根以外の如何なる屋根を有する建物に設置されてもよく、例えば、図３に示すように、陶器瓦１０６が敷き詰められた屋根１０２を有する建物１０３に設置されてもよい。なお、軒樋構造１が、陶器瓦１０６を用いた建物１０３に設置された場合、陶器瓦１０６は、金属屋根と比較して大きな端面を前側に有するので、雨水がその端面を伝って下側に流動し易くなる。よって、雨水が、矢印Ｂに示すように外側に飛び出す他、矢印Ｃ及びＤに示すように当該端面を伝って滴り落ち易くなるが、雨水がいずれの経路を辿っても雨水を効率的に軒樋３０内に収容できる。
【符号の説明】
【００４７】
１  軒樋構造、  ３  建物、  ４  鼻隠し（壁部）、  １０  吊具、  １２  吊具の第１前側延在部、  １３  吊具の上側延在部、  １５  吊具の第１突起、  １９  吊具の凹部、  ３０  軒樋、  ３０ａ  軒樋の前面、  ３９  窪み、  ５１  飛越抑制カバーの本体、  ５３  飛越抑制カバーの上側突出部、  ５５  飛越抑制カバーの前側設置部、  ５９  第１係止部、  ６１  第１端部、  ６２  第１折返部、  ６５  後側設置部、  ６９  第２係止部、  ７３  第２端部、  ７５  第２折返部、  Ｘ方向  前後方向、  Ｙ方向  軒先の延在方向、  Ｚ方向  鉛直方向（建物の高さ方向）。
【図１】
2020084541.tif 000003
【図２】
2020084541.tif 000004
【図３】
2020084541.tif 000005